(57)【要約】【課題】機器本体の奥行寸法を短縮して、機器の小型化をはかったものである。【解決手段】フロントパネル１の側面に設けた下位支持点４を、前後方向に摺動する摺動板８の先端に設けた支持片１６に枢支し、連結片１７の両端をフロントパネル１の側面に設けた上位支持点３と、前後方向に延びる制限スリット１８に沿って摺動する摺動ピン１９とに枢支し、かつ、フロントパネル１の背面と連結片１７に設けた受片２０とをスプリング２１により圧接してフロントパネル１の起立状態を保持し、この起立状態において、ラック歯車１３をモータ１２により駆動して摺動板８により、フロントパネル１を前進させ、その前進の途中で摺動ピン１９を制限スリット１８の先端に当接させて上位支持点３の前進を阻止し、次いで、摺動板８の摺動による下位支持点４の前進により、上位支持点３を中心としてフロントパネル１を時計方向に伏動して、機器本体Ｐの前面挿入口ａを開披する。【選択図】図５
2007131079.tif 000002
【特許請求の範囲】
【請求項１】
前面に表示部などを配設し、かつ左右側面の上下位置にそれぞれ支持点を設けたフロントパネルを、機器本体の前面挿入口を閉止する起立状態と、前面挿入口を開披する伏倒状態との間で作動するように前記支持点を操作する構成とした電子機器におけるフロントパネルの作動機構において、前記支持点の操作を、フロントパネルの起立状態を保持しながら、フロントパネルの上下支持点を同時に前方に移動する前段操作と、上位支持点の前方移動を阻止して、下位支持点のみを継続して前方に移動してフロントパネルを伏倒する後段操作とから構成したことを特徴とする電子機器におけるフロントパネルの作動機構。
【請求項２】
フロントパネルの下位支持点を、機器本体の前面挿入口を閉止する起立状態から前面挿入口を開披する伏倒状態に導く範囲で前後方向に摺動する摺動手段と、一端が前記フロントパネルの側面の上位支持点に支持され、他端が前記摺動手段により前後方向に摺動する摺動ピンに連結された連結片と、連結片に設けた受片にフロントパネルを弾圧付勢により圧接して、フロントパネルの起立状態を保持する保持手段とから成り、前記摺動ピンの摺動ストロークを、前記摺動手段の摺動ストロークよりも短く制限したことを特徴とする請求項１記載の電子機器におけるフロントパネルの作動機構。
【請求項３】
機器本体に、中間が回動自在に枢着され、かつ、一方の腕片に作用片を、他方の腕片に摺動ピンと係止する係止部をそれぞれ有した揺動部片と、該揺動部片を係止部が摺動ピンから離反する方向に回動付勢するスプリングと、摺動ピンの摺動ストロークが制限されたとき、作用片と作用して揺動部片を前記スプリングに抗して回動して係止部を摺動ピンに係止すると共に、この係止状態を、フロントパネルが機器本体の前面挿入口を開披する伏倒状態に達するまで維持する誘導部片とを備えて成る請求項２記載の電子機器におけるフロントパネルの作動機構。
【発明の詳細な説明】
【技術分野】
【０００１】
本発明は、主として車載用の電子機器におけるフロントパネルの作動機構に関する。
【背景技術】
【０００２】
従来、カセットテープやコンパクトディスクなどの挿入口を前面に設けた機器本体において、前面に、表示部や操作部を配設したフロントパネルを、前記挿入口を閉止する起立状態と、前記挿入口を開披する伏倒状態との間で作動するように構成したフロントパネルの作動機構は公知である。
【特許文献１】実開平１−７８０７４号公報
【特許文献２】特開平１１−２６４９７号公報
【発明の開示】
【発明が解決しようとする課題】
【０００３】
ところが、従来構成の作動機構によれば、フロントパネルの左右両側面の上下位置にそれぞれ支持点を設け、両側面の下位支持点を、モータにより前後方向に摺動するスライドバーにより前方乃至後方に作動すると同時に、両側面の上位支持点を誘導手段を介して下方乃至上方に誘導することにより、フロントパネルを挿入口を閉止する起立状態から、挿入口を開披する伏倒状態乃至挿入口を開披する伏倒状態から挿入口を閉止する起立状態に切換える構成のものであった。
【０００４】
ところが、上記した構成によれば、フロントパネルの下位支持点の前後方向に摺動する摺動作用により、フロントパネルの上位支持点を上下方向に誘導する構成であり、特許文献１においては、上位支持点を上下方向に誘導する誘導手段を機器本体の前面開口部の左右側板内に設けて成るので、機器本体における、前面からの奥行寸法が、誘導手段の幅に相当する分丈無駄に消費され、また特許文献２においては、フロントパネルの伏倒に伴うフロントパネルの上端後方隅部の軌跡が、機器本体の前面からその内方に湾曲しながら通るので、その湾曲分に相当して機器本体の前面からの奥行寸法が無駄に消費される。
【０００５】
すなわち、機器本体の前面開口部に、フロントパネルを伏倒操作するための余分なスペースを必要とし、その分丈、機器本体の奥行寸法が増加し、機器の小型化を損うという不都合があった。
【課題を解決するための手段】
【０００６】
本発明は、上記した従来のものの不都合を解消するために、前面に表示部などを配設し、かつ左右側面の上下位置にそれぞれ支持点を設けたフロントパネルを、機器本体の前面挿入口を閉止する起立状態と、前面挿入口を開披する伏倒状態との間で作動するように前記支持点を操作する構成とした電子機器におけるフロントパネルの作動機構において、前記支持点の操作を、フロントパネルの起立状態を保持しながら、フロントパネルの上下支持点を同時に前方に移動する前段操作と、上位支持点の前方移動を阻止して、下位支持点のみを継続して前方に移動してフロントパネルを伏倒する後段操作とから構成したことを特徴とするものである。
【０００７】
具体的には、フロントパネルの下位支持点を、機器本体の前面挿入口を閉止する起立状態から前面挿入口を開披する伏倒状態に導く範囲で前後方向に摺動する摺動手段と、一端が前記フロントパネルの側面の上位支持点に支持され、他端が、前記摺動手段により前後方向に摺動する摺動ピンに連結された連結片と、連結片に設けた受片にフロントパネルを弾圧付勢力より圧接して、フロントパネルの起立状態を保持する保持手段とから成り、前記摺動ピンの摺動ストロークを、前記摺動手段の摺動ストロークよりも短く制限したことを特徴とするものである。
【０００８】
さらにまた、フロントパネルの前面に形成した表示部などが見易く、かつ、操作し易い態様に、フロントパネルを任意の傾斜角に伏倒できるように、上記した構成において、機器本体に中間が回動自在に枢着され、かつ、一方の腕片に作用片を、他方の腕片に摺動ピンと係止する係止部をそれぞれ有した揺動部片と、該揺動部片を係止部が摺動ピンから離反する方向に回動付勢するスプリングと、摺動ピンの摺動ストロークが制限されたとき、作用片と作用して揺動部片を前記スプリングに抗して回動して係止部を摺動ピンに係止すると共に、この係止状態を、フロントパネルが機器本体の前面挿入口を開披する伏倒状態に達するまで維持する誘導部片とを備えて成るものである。
【発明の効果】
【０００９】
本発明によれば、前段操作において、フロントパネルを起立状態で前方に移動し、次いで、フロントパネルを伏倒操作する構成であるので、フロントパネルを伏倒操作するに必要な前後幅を、機器本体の前面から離れた空間位置に求めることができるので、機器本体の前面からの奥行寸法を、カセットテープやコンパクトディスクなどの装脱のために無駄なく利用でき、それ丈機器の小型化に有効であるという利点を有する。
【００１０】
さらにまた、請求項３記載の発明によれば、フロントパネルを、起立状態で前動した位置と機器の前面挿入口を開披する伏倒した位置との間で、操作可能な状態で任意の傾斜角に伏倒することができるので、フロントパネルの前面に形成した表示部や操作部を、最も見易い状態に、かつ、操作し易い状態に調整できて極めて使用に便利である。
【発明を実施するための最良の形態】
【００１１】
図１及び図２は、機器本体Ｐの前面挿入口ａを閉止したフロントパネル１の起立状態を示す平面図及び側面図であり、フロントパネル１は、その前面に表示部や操作部２を有し、また左右側面の上下位置には、支持点３と４が設けてある。
【００１２】
機器本体Ｐを構成する方形状の基板５の面上には、左右位置に設けた、前後方向に伸びる案内スリット６に、係合ピン７を係合して前後方向に摺動する摺動板８が配置されている。
【００１３】
この摺動板８は、平面視が横向きＵ字に形成された平板から成り、後方に延びる左右側部に、前後方向に長いラック片９が設けてあり、また基板５の上面には、左右方向に延びて、その左右側面が、前記摺動板８の左右側部の上面を覆うように配置された支持部片１０が設けてあり、この支持部片１０の両端部に、補助部片１１が取付けてある。この支持部片１０の一方の補助部片１１には、モータ１２と、該モータ１２より回転駆動され、その回転を前記ラック片９と噛合するラック歯車１３を駆動する回転伝達機構１４とが取付けてあり、前記左右位置のラック歯車１３は、左右方向に延びて両端部が、前記補助部片１１に支承された回転軸１５に軸止してある。
【００１４】
また、前記摺動板８の左右側縁の前端部位置に、前記フロントパネル１の下位支持点４を軸支した支片１６が設けてある。
【００１５】
前記フロントパネル１の左右の上位支持点３には、それぞれ連結片１７の一端が枢支されており、その他端が、前記補助部片１１の垂直部１１’に設けた前後方向に延びる制限スリット１８に摺動自在に係合した摺動ピン１９に軸支されてあり、この制限スリット１８の長さが、前記摺動板８の摺動ストローク即ちフロントパネル１が前面挿入口ａを閉止する図１の起立状態から、フロントパネル１が伏倒して前面挿入口ａを開披する図５の伏倒状態に導くに必要な摺動ストロークの前半のストロークに相当する長さに制限されている。
【００１６】
前記連結片１７には、フロントパネル１の起立状態で、その背面に当接する受片２０が設けてあると共に、フロントパネル１の背面と受片２０とを圧接してフロントパネル２の起立状態を保持するスプリング２１が、フロントパネル１と連結片１７との間に掛止めされている。
【００１７】
しかして、図１，２で示すように、フロントパネル１が、機器本体Ｐの前面挿入口ａを閉止している図１の起立状態において、従来と同様にフロントパネル１の前面操作部２を操作することにより、図示しないが電気回路が仂いてモータ１２が駆動し、これによってラック歯車１３が回転して摺動板８が前方向に摺動する。
【００１８】
すなわち、フロントパネル１は、起立状態を保持しながら前方に移動し、この移動は、摺動ピン１９が、制限スリット１８の先端に当接した図３で示す状態において阻止されると共に、フロントパネル１は機器本体Ｐの前面より離反する。
【００１９】
この状態から、さらにモータ１２の駆動により、摺動板８の前方への摺動が継続されると、フロントパネル１は上位支持点３を中心としてスプリング２１に抗して図中時計方向に回動し、その結果、フロントパネル１は図４，５で示すように伏倒して、機器本体Ｐの前面挿入口ａを大きく開披し、この状態で、カセットテープやコンパクトディスクなどの装脱が行われる。
【００２０】
従って、図３で示すように、本発明は、フロントパネル１を伏倒するに必要な空間を、機器本体Ｐの前面に求めたので、フロントパネル１を、その起立状態から伏倒するに必要な空間部が、従来のように、機器本体Ｐの前面挿入口ａ内に入り込む余地はなく、それ丈機器本体Ｐの前面からの奥行寸法が短縮できて、実装効率を高めることができる。
【００２１】
ところで、前記した実施例の構成において、機器本体の前面挿入口からのカセットテープやコンパンクトディスクなどの装脱操作を容易にするために、フロントパネル１を大きく伏倒する構成とすることが好ましいが、他方フロントパネル１を大きく伏倒した状態で使用するときは、フロントパネル１の前面に形成した表示部や操作部２が見づらくなり、また操作に不便をきたすなどの不都合を有する。
【００２２】
図６乃至図９は、機器本体の前面挿入口を閉止する起立状態と、前面挿入口を開披する伏倒状態との間で、フロントパネルを任意の傾斜角に保持できるように構成して、上記した不都合を解消した他の実施例を示したもので、図６は、図２に対応し、図７は図３に対応し、図９は図５に対応すると共に、図８は、フロントパネルを任意の傾斜角に保持した使用状態における要部の拡大側面図を示している。
【００２３】
すなわち、図１乃至図５に示す第一実施例の構成と相違するところは、く字状に形成され、その前方に延びる一方の腕片３０の先端に、Ｌ字状に折曲して水平を形成した作用片３１を設け、また後方に延びる他方の腕片３２に、前記摺動ピン１９を係止する湾曲状の係止部３３を設けて成る揺動部片３４の中間部を、前記補助部片１１に回動自在に軸支３５すると共に、前記揺動部片３４の一方の腕片３０と前記補助部片１０との間に、無負荷状態で揺動部片３４を、その係止部３３が前記摺動ピン１９から離れる方向に回動付勢するスプリング３６を備えた点、および摺動板８が前方に摺動してフロントパネル１の起立状態が解かれ、フロントパネル１が伏倒を開始する直前（図７の状態）に、作用片３１と作用して揺動部片３４をスプリング３６に抗して係止部３３が摺動ピン１９と係止する方向に回動付勢して、係止部３３を摺動ピン１９に係止し、この係止状態を、フロントパネル１が機器本体Ｐの前面挿入口ａを、カセットテープやコンパクトディスクなどの装脱のために、大きく開披する伏倒状態に至るまで保持するための誘導部片３７を、摺動板８の左側部に、ラック片９と並行状に設けた点にあり、その余の構成に基本的に相違するところはない。
【００２４】
しかして、揺動部片３４がスプリング３６によって図中反時計方向に回動して係止部３３が摺動ピン１９の摺動位置から充分離れ、かつフロントパネル１が機器本体Ｐの前面挿入口ａを閉止した図６の状態から、摺動板８が摺動すると、すでに述べたように、フロントパネル１は起立状態を保持しながら前方に移動してフロントパネル１が機器本体Ｐの前面挿入口ａから充分に離反して、摺動ピン１９が制限スリット１８の前端に当接してその摺動が阻止され、次いで、フロントパネル１が伏倒を開始する直前において、図７で示すように、誘導部片３７の先端が作用片３１に当接する。
【００２５】
次いで、摺動板８の前方への摺動に伴い、フロントパネル１が上位支持点３を中心として時計方向の回動が開始されると共に、作用片３１が誘導部片３７の先端により押し上げられ、これによって、揺動部片３４はスプリング３６に抗して時計方向に回動して作用片３１が誘導部片３７の上縁に乗り上がり、かつ係止部３３は摺動ピン１９と係止し、この状態は、フロントパネル１が充分に伏倒して前面挿入口ａが開披する図９の状態まで維持される。
【００２６】
しかして、図７で示すように、フロントパネル１の伏倒が開始される直前の状態から、フロントパネル１が機器本体Ｐの前面挿入口ａを充分に開披する図９で示す伏倒状態に至る過程において、図８で示すように、フロントパネル１を任意の傾斜角で伏倒することができ、この使用状態において、フロントパネル１の前面の操作部２を操作すると、フロントパネル１の前面に作用する操作力は、摺動ピン１９に伝達されるが、摺動ピン１９は、保持部片３４の係止部３３との係止により受け止められ、フロントパネル１の任意の伏倒状態は固定される。従って、フロントパネル１の前面の表示部や操作部２が見易いように、或いは操作し易いように、フロントパネル１を、図７で示す起立状態と、図９で示す伏倒状態の間で、フロントパネル１を任意の傾斜角に設定して使用することができる。
【図面の簡単な説明】
【００２７】
【図１】前面挿入口の閉止状態を示す平面図。
【図２】前面挿入口の閉止状態を示す側面図。
【図３】フロントパネルの前動状態を示す側面図。
【図４】前面挿入口の開披状態を示す平面図。
【図５】前面挿入口の開披状態を示す側面図。
【図６】図２に対応する他の実施例における要部の拡大図。
【図７】図３に対応する他の実施例における要部の拡大図。
【図８】フロントパネルの任意の伏倒状態を示す拡大側面図。
【図９】図５に対応する他の実施例における要部の拡大図。
【符号の説明】
【００２８】
１  フロントパネル
３，４  支持点
８  摺動板
９  ラック片
１２  モータ
１３  ラック歯車
１５  回転軸
１７  連結片
１８  制限スリット
１９  摺動ピン
２０  受片
２１，３６  スプリング
３０，３２  腕片
３１  作用片
３３  係止部
３４  揺動部片
３７  誘導部片
【図１】
2007131079.tif 000003
【図２】
2007131079.tif 000004
【図３】
2007131079.tif 000005
【図４】
2007131079.tif 000006
【図５】
2007131079.tif 000007
【図６】
2007131079.tif 000008
【図７】
2007131079.tif 000009
【図８】
2007131079.tif 000010
【図９】
2007131079.tif 000011